(57)【要約】      （修正有）【課題】乗客の性別や年齢割合に応じた広告を提示することにより、宣伝効率が良い広告クライアント装置、広告管理サーバ装置および移動車内広告システム提供する。【解決手段】公共交通機関の車内に設置されたディスプレイに広告を表示する広告表示制御手段４１を有する広告クライアント装置４に、車両の自己走行エリアを取得する位置情報取得手段４５と、車内の乗客５の性別・年齢情報を判定しカテゴリ情報を取得する乗客情報判定処理手段４６と、前記取得したエリアまたは前記取得した乗客のカテゴリ情報に基づいて前記広告表示制御手段４１が表示する広告を選択するデータ選択処理手段４２と、管理サーバ２、３と通信を行なう通信処理部４４と、を備えた。【選択図】図１
2006251514.tif 000002
【特許請求の範囲】
【請求項１】
公共交通機関の車内に設置されたディスプレイに広告を表示する広告表示制御手段（４１）を有する広告クライアント装置（４）において、
車両が走行している走行エリアを取得する位置情報取得手段（４５）と、
前記車内の乗客（５）の性別・年齢情報を判定し乗客カテゴリ情報を取得する乗客情報判定処理手段（４６）と、
前記取得した走行エリアまたは前記取得した乗客カテゴリ情報に基づいて前記広告表示制御手段（４１）が表示する広告データを選択するデータ選択処理手段（４２）と、を備えたことを特徴とする広告クライアント装置。
【請求項２】
広告登録主と登録情報を管理する広告管理サーバ装置（２）において、
ターゲットとする性別や年齢の割合にあわせて作成されたカテゴリ別広告データベース（２１）を有することを特徴とする広告管理サーバ装置。
【請求項３】
広告クライアント装置（４）と、広告管理サーバ装置（２）と、前記広告クライアント装置（４）を管理する広告表示媒体管理サーバ（３）を備えた移動車内広告システムにおいて、
前記広告クライアント装置（４）、前記広告表示媒体管理サーバ（３）、前記広告管理サーバ装置（２）の間で通信を行なう通信ネットワーク（６）を有することを特徴とする移動車内広告システム。
【発明の詳細な説明】
【技術分野】
【０００１】
本発明は、公共交通機関の車内に設置された広告表示制御装置を持つ広告クライアント装置、広告登録主と登録情報を管理する広告管理サーバ装置、広告クライアント装置と広告管理サーバ装置を含む移動車内広告システムに関する。
【背景技術】
【０００２】
従来、広告の提示期間、広告登録主の管理、張替え作業は全て手作業で行なっており、表示媒体が印刷物やパネル、看板などの場合、張替え作業の手間やコストの問題により広告の更新が頻繁にできなかった。また広告表示媒体が電光掲示板の場合、電光掲示板の設置が固定であるため場所の制限があった。そのため広告登録主としては、時間と場所に応じた効果的な広告提示が困難であった。
そこで、広告情報サーバから広告情報を配信し、その広告情報を広告情報源装置で蓄積すると共に移動可能な車両にその広告情報を送信する一方、車両側装置で車両の移動しているエリアに対応する広告情報を乗客に表示する移動広告システムが提案されてきた（例えば、特許文献１参照）。
【特許文献１】特開２００２−２５１１５９号公報（第３−５頁）
【発明の開示】
【発明が解決しようとする課題】
【０００３】
しかしながら、従来の移動広告システムは、時間帯およびエリアを特定した広告表示であり、乗客の老若男女を考慮されたものではなかった。また、登録されていない時間帯やエリアについては表示広告がないため広告表示が有効に使われなく、宣伝効率が良いものとは言えなかった。
本発明はこのような問題点に鑑みてなされたものであり、乗客層に応じた広告を提示でき、宣伝効率が良い広告クライアント装置、広告管理サーバ装置および移動車内広告システムを提供することを目的とする。
【課題を解決するための手段】
【０００４】
上記問題を解決するため、請求項１に記載の発明は、公共交通機関の車内に設置されたディスプレイに広告を表示する広告表示制御手段を有する広告クライアント装置において、車両が走行している走行エリアを取得する位置情報取得手段と、前記車内の乗客の性別・年齢情報を判定し乗客カテゴリ情報を取得する乗客情報判定処理手段と、前記取得した走行エリアまたは前記取得した乗客カテゴリ情報に基づいて前記広告表示制御手段が表示する広告データを選択するデータ選択処理手段と、を備えたことを特徴としている。
【０００５】
また、請求項２に記載の発明は、広告登録主と登録情報を管理する広告管理サーバ装置において、ターゲットとする性別や年齢の割合にあわせて作成されたカテゴリ別広告データベースを有することを特徴としている。
【０００６】
また、請求項３に記載の発明は、広告クライアント装置と、広告管理サーバ装置と、前記広告クライアント装置を管理する広告表示媒体管理サーバを備えた移動車内広告システムにおいて、前記広告クライアント装置、前記広告表示媒体管理サーバ、前記広告管理サーバ装置の間で通信を行なう通信ネットワークを有することを特徴としている。
【発明の効果】
【０００７】
請求項１に記載の発明によれば、乗客層に応じた広告を提示することができる広告クライアント装置を得ることができる。
【０００８】
請求項２に記載の発明によれば、乗客層に応じた広告を提示することを可能とする広告管理サーバ装置を得ることが出来る。
【０００９】
請求項３に記載の発明によれば、乗客層に応じた最新の広告を提示することを可能とする移動車内広告システムを得ることができる。
【発明を実施するための最良の形態】
【００１０】
以下、本発明の具体的実施例について、図に基づいて説明する。
【実施例１】
【００１１】
図２は、本発明を示す移動広告システムのブロック図である。
図２において、１は広告の登録を行なう広告登録主、２は広告登録主１と登録情報を管理する広告管理サーバ、３は広告クライアントを管理する広告表示媒体管理サーバ、４は実際の広告を表示する複数の広告クライアント（公共交通機関の車体）、５は車両搭乗者（乗客）、６は通信ネットワーク、２１はカテゴリ別広告データベースである。
以下、図２を用いて、本発明の移動広告システムの構成について説明する。
広告登録主１が広告管理サーバ２へ基本情報（広告表示時間、広告表示エリア、広告内容）、とオプション情報（対象性別、対象年齢層）の登録を行なう。広告管理サーバ２側では、基本情報（表示時間、エリア、広告内容）に基づき広告クライアント４毎のタイムテーブルとエリアテーブルが生成される。また、オプション情報（性別、年齢層）に基づいた情報がカテゴリ別広告データベース２１へ蓄積される。広告管理サーバ２で生成された広告クライアント４毎のタイムテーブル、エリアテーブルとカテゴリ別広告データベース２１は、広告表示媒体管理サーバ３へ送られる。
広告表示媒体管理サーバ３は、広告クライアント４毎の最新のタイムテーブルとエリアテーブルの管理を行なう。また、広告クライアント４より取得した乗客情報をもとに、カテゴリ別広告データベース２１より乗客層（性別、年齢層）に適したカテゴリテーブルを生成し、更新したカテゴリテーブルを広告クライアント４へ送信する機能を有する。広告クライアント４は、運行中の時間と表示データ、乗客５より取得した乗客情報（性別、年齢層）のログを保存し、運行終了後広告表示媒体管理サーバ３へ通信ネットワーク６で送信する。
【００１２】
図１は、本発明を示す広告クライアントの詳細ブロック図である。
図１において、４１は広告表示を出力する広告表示制御部、４２は広告選択を行なうデータ選択処理部、４３はハードディスクに記録された広告データ、４４は広告表示媒体管理サーバ３とネットワーク通信を行なう通信処理部、４５は現在の位置情報を取得する位置情報取得部、４６は乗客情報の判定を行なう乗客情報判定処理部、４７は停車駅あるいはバス停毎の乗客情報を保存しておく乗客情報ログである。なお、図２と同じ説明符号のものは図２と同じ構成要素を示しているので説明は省略する。
本発明の広告クライアント４が特徴とする点は、車両が現在走行している走行エリアを取得する位置情報取得部４５と、前記車内の乗客５の性別・年齢情報を判定し乗客カテゴリ情報を取得する乗客情報判定処理部４６と、前記取得した走行エリアまたは前記取得した乗客カテゴリ情報に基づいて前記広告表示制御部４１が表示する広告データを選択するデータ選択処理部４２とを備えるようにしている点である。
【００１３】
以下、図１、２を用いて、本発明の各部における動作について詳細を説明する。
広告登録者１は、広告管理サーバ２から与えられる広告登録フォームへ入力を行なう。入力はWEBからと用紙からの入力が可能である。
図３は、本発明の移動車内広告システムにおける広告登録フォームを示す説明図である。
図３の広告登録フォームを用いて、広告登録者名、希望広告表示エリア（地図が記載されており希望エリアの指定を行なう）、希望表示時間帯、表示内容を入力（ＷＥＢ入力の場合は広告データファイルを選択、用紙入力の場合は別途広告用紙を添付）する。また、乗客カテゴリ情報として、広告のアピールをしたい性別と年齢層を入力する。この項目をもとに、広告表示媒体管理サーバ３は、乗客５の情報より最適な広告を選択し提示することができる。
【００１４】
広告管理サーバ２は、広告登録主１より送られてきた記入済みの広告登録フォームの受付を行なう。また、広告管理サーバ２は、広告クライアント４毎の広告タイムテーブルと広告エリアテーブルを有し、受け付けた表示時間帯と広告表示エリアのチェックを行なう。
図４は、本発明の移動車内広告システムにおける広告タイムテーブルを示す説明図である。図４に示すように、広告タイムテーブルは表示時間帯と表示する広告の広告コードから構成されたテーブルである。また、図５は、本発明の移動車内広告システムにおける広告エリアテーブルを示す説明図である。図５に示すように、広告エリアテーブルは地区と表示する広告の広告コードから構成されたテーブルである。
広告管理サーバ２は、入力した時間帯やエリアが既に登録済みで一杯だった場合は、空いている時間帯やエリア情報と共に登録未完了の旨のメールを広告登録主１へ送信し、一方、広告表示テーブルへの登録が正常に行なわれると、登録完了済みの内容のメールを広告登録者１へ送信する。
また、広告管理サーバ２は、登録データの乗客カテゴリ情報（性別・年齢層）をもとにカテゴリ別広告データベース２１を作成する。
図６は、本発明の移動車内広告システムにおけるカテゴリ別広告データベースを示す説明図である。図６に示すように、ターゲットとする性別や年齢層別に広告データが格納され、最新登録のものを先頭にローテーションするようにする。また、広告掲載期間の開始と終了情報を格納することで、広告表示期間を過ぎた広告データはカテゴリ別広告データベース２１より削除される。
このように、広告管理サーバ２は、広告登録主１からの登録が完了するたびに、広告表示テーブルとカテゴリ別広告データベース２１の更新を行ない、広告表示媒体管理サーバ３へ更新済みのデータを送信する。
【００１５】
広告表示媒体管理サーバ３は、広告クライアント４毎の最新の広告表示テーブルとカテゴリ別広告データベースを有する。
図７は、本発明の移動車内広告システムにおける広告表示媒体管理サーバが有する広告表示テーブルの説明図である。
図４に示した広告管理サーバ２の広告表示テーブルでは、早朝や深夜、市街地から離れたエリアなど、時間帯やエリアによって広告未登録の空白箇所が出てくる可能性がある。そこで、広告表示媒体管理サーバ３では、図７に示すように、搭乗者情報ログの統計データより、カテゴリ別広告データベースから多かった年齢層からの広告データを空白箇所に格納する処理を施すようにしている。
また、広告表示媒体管理サーバ３は、移動している広告クライアントの位置情報を受信すると、クライアント位置情報管理テーブルより、各クライアント番号をキーに位置情報の更新チェックを行なう。
図８は、本発明の移動車内広告システムにおけるクライアント位置情報管理テーブルを示す説明図である。クライアント位置情報管理テーブルは、図８に示すようにクライアントの番号、位置情報および該当エリアの情報から構成されている。
広告表示媒体管理サーバ３は、更新チェックの結果、該当エリアに変更がなかった場合は「エリア変更なし」のレスポンスを送信する。エリアに変更があった場合には、「エリア変更なし」と更新されたエリア番号を広告クライアントへ返信する。
【００１６】
広告表示制御部４１は、液晶ディスプレイもしくは電子ペーパのディスプレイと表示を制御するＣＰＵ部から構成される。広告データ４２は、広告表示車両が出発する前に表示媒体管理サーバ３から最新データを更新しておく。広告データ４２は、表示媒体管理サーバ３が持っている該当するクライアント番号の広告タイムテーブルとエリアテーブルに応じたデータのみを格納する。
図９は、本発明の移動車内広告システムにおける広告表示のスケジューリングを示す説明図である。
図９において、ＴＴはタイムテーブル広告表示期間、ＡＴはエリアテーブル広告表示期間、ＣＴはカテゴリテーブル広告表示期間を示している。データ選択処理部４２は、図９に示すように、広告タイムテーブル、広告エリアテーブル、カテゴリテーブルの３つのテーブルから順番に繰り返し表示を行なう。
以下、図９を用いて、広告表示制御部４１のディスプレイに表示される広告のスケジューリングを説明する。
タイムテーブル広告表示期間ＴＴにおいては、事前に取得しているタイムテーブルに対応する広告を表示する。タイムテーブルは一時間きざみで設定しているので、一時間毎に広告データが切り替る。
エリアテーブル広告表示期間ＡＴにおいては、事前に取得しているエリアテーブルに対応する広告を表示する。エリアテーブルはエリア毎設定しているので、エリアが変わる毎に広告データが切り替る。エリアの判定手段は位置情報取得処理部４５により行なわれる。
カテゴリテーブル広告表示期間ＣＴにおいては、乗客が乗り降りする駅、バス停を出発するタイミングで、広告クライアント４は最新のカテゴリテーブルを取得しカテゴリテーブルに応じた広告が表示される。カテゴリテーブルは乗客情報判定処理部４６からの情報によりサーバ側で各停車区間単位で更新される。
【００１７】
位置情報取得部４４は、ＧＰＳを用いて緯度と経度を取得し、通信処理部４４を通して定期的に表示媒体管理サーバ３へクライアント番号と位置情報の送信を行なう。そのリクエストに対して、表示媒体管理サーバ３より再び通信処理部４４を通しレスポンスを受け取り、データ選択処理部４２へ渡される。データ選択処理部４２は、レスポンスによってエリア指定広告を切り替える。前回のエリアと今回のエリアが同地区であった場合は、レスポンスとして、「エリア変更なし」通知を受信し、引き続き現在の広告を表示する。今回のエリアが前回更新時より別エリアへと変更していた場合、エリアテーブルに書かれてある現在エリアに相当する広告を選択する。
【００１８】
乗客情報判定処理部４６は、乗客５のＩＣ定期券、ＩＣパスカードに埋め込まれた情報
により性別、年齢を取得し、乗客カテゴリの判定を行なう。この情報は、乗客の乗り降りの度に更新を行ない、通信処理部４４を通して表示媒体管理サーバ３へクライアント番号と乗客情報の送信を行なう一方で、乗客情報ログ４７へ保存を行なう。送信したリクエストに対し、表示媒体管理サーバ３からのレスポンスとして、カテゴリテーブルとテーブル内に書かれた広告データを受け取りデータ選択処理部４２へ渡される。データ選択処理部４２は、最新のカテゴリテーブルに応じた広告を選択する。
【００１９】
以上述べたように、本実施例に係る広告クライアント装置は、車両が現在走行しているエリアを取得する位置情報取得部４５と、車内の乗客５の性別・年齢情報を判定し乗客カテゴリ情報を取得する乗客情報判定処理部４６と、前記取得したエリアまたは前記取得した乗客カテゴリ情報に基づいて表示する広告を選択するデータ選択処理部４２と、通信処理部４４とを備え、広告管理サーバ装置は、乗客５の性別や年齢の割合にあわせて作成されたカテゴリ別広告データベース２１を備え、移動車内広告システムは、広告クライアント装置４、広告表示媒体管理サーバ３、広告管理サーバ装置２の間で通信を行なう通信ネットワーク６を備える構成としているので、ターゲットとする乗客層に向けた広告の提示を効率よく行なうことができる。また、広告エリア、時間帯と乗客情報（性別、年齢層）をリンクさせ、その関連性を提供することにより、さらに効率のよい広告の提供が可能である。
【産業上の利用可能性】
【００２０】
本発明は、ＩＣ定期券、ＩＣパスカードが利用できる電車やバスなどの公共交通機関における移動車内広告システムに広く適用が可能である。
【図面の簡単な説明】
【００２１】
【図１】本発明を示す広告クライアントの詳細ブロック図
【図２】本発明を示す移動広告システムのブロック図
【図３】本発明の移動車内広告システムにおける広告登録フォームを示す説明図
【図４】本発明の移動車内広告システムにおける広告タイムテーブルを示す説明図
【図５】本発明の移動車内広告システムにおける広告エリアテーブルを示す説明図
【図６】本発明の移動車内広告システムにおけるカテゴリ別広告データベースを示す説明図
【図７】本発明の移動車内広告システムにおける広告表示媒体管理サーバが有する広告表示テーブルの説明図
【図８】本発明の移動車内広告システムにおけるクライアント位置情報管理テーブルを示す説明図
【図９】本発明の移動車内広告システムにおける広告表示のスケジューリングを示す説明図
【符号の説明】
【００２２】
１  広告登録主
２  広告管理サーバ
３  広告表示媒体管理サーバ
４  広告クライアント
５  車両搭乗者（乗客）
６  通信ネットワーク
２１  カテゴリ別広告データベース
４１  広告表示制御部
４２  データ選択処理部
４３  広告データ
４４  通信処理部
４５  位置情報取得部
４６  乗客情報判定処理部
４７  乗客情報ログ
【図１】
2006251514.tif 000003
【図２】
2006251514.tif 000004
【図３】
2006251514.tif 000005
【図４】
2006251514.tif 000006
【図５】
2006251514.tif 000007
【図６】
2006251514.tif 000008
【図７】
2006251514.tif 000009
【図８】
2006251514.tif 000010
【図９】
2006251514.tif 000011